(57)【特許請求の範囲】
【請求項１】
サッシ枠内に開閉自在に嵌合された障子と、前記サッシ枠との隙間を塞ぐシール材であって、
前記障子の上框又は戸先框、あるいは上框及び戸先框に沿って取付けられる両側壁部と底壁部からなる断面略コ字状の取付基部と、
前記取付基部の両端部から底壁部に向かって内方に延び、前記断面略コ字状の開口部に案内された前記サッシ枠に突設されたフランジを挟みそのフランジの側面に弾接する室外側リップ部及び室内側リップ部を備え、
前記取付基部が取付けられる框は、少なくとも戸先框であり、
前記取付基部は、前記障子の閉時に前記断面略コ字状の開口部に案内される前記サッシ枠に突設されたフランジの先端に当接する部位を有し、その当接する部位に緩衝用のスポンジ材を設け、
前記スポンジ材は、前記障子の閉時に前記フランジの先端に直接に当接し撓むことにより前記フランジの先端を周囲から覆い隠すことを特徴とする住宅用サッシのシール材。
【請求項２】
サッシ枠内に開閉自在に嵌合された障子と、前記サッシ枠との隙間を塞ぐシール材であって、
前記障子の上框又は戸先框、あるいは上框及び戸先框に沿って取付けられる両側壁部と底壁部からなる断面略コ字状の取付基部と、
前記取付基部の両端部から底壁部に向かって内方に延び、前記断面略コ字状の開口部に案内された前記サッシ枠に突設されたフランジを挟みそのフランジの側面に弾接する室外側リップ部及び室内側リップ部を備え、
前記取付基部が取付けられる框は、少なくとも戸先框であり、
前記障子の閉時に前記断面略コ字状の開口部に案内される前記サッシ枠に突設されたフランジの先端に当接する部位を前記取付基部の側壁部又は底壁部から突設し、その突設した部位と前記取付基部の底壁部との間に、緩衝用のスポンジ材を設けたことを特徴とする住宅用サッシのシール材。
【請求項３】
サッシ枠内に開閉自在に嵌合された障子と、前記サッシ枠との隙間を塞ぐシール材であって、
前記障子の上框又は戸先框、あるいは上框及び戸先框に沿って取付けられる両側壁部と底壁部からなる断面略コ字状の取付基部と、
前記取付基部の両端部から底壁部に向かって内方に延び、前記断面略コ字状の開口部に案内された前記サッシ枠に突設されたフランジを挟みそのフランジの側面に弾接する室外側リップ部及び室内側リップ部を備え、
前記取付基部が取付けられる框は、少なくとも戸先框であり、
前記障子の閉時に前記断面略コ字状の開口部に案内される前記サッシ枠に突設されたフランジの先端に当接する部位である前記取付基部の底壁部を部分的に内方に突出させて凸部とするともに、外方側に形成される凹部に、緩衝用のスポンジ材を設けたことを特徴とする住宅用サッシのシール材。
【発明の詳細な説明】
【技術分野】
【０００１】
本発明は、住宅用サッシのシール材に関する。より詳細には、住宅用サッシのサッシ枠内にスライドして開閉自在に嵌合された障子とサッシ枠との隙間を塞ぐ住宅用サッシのシール材に関するものである。
【背景技術】
【０００２】
図９に示すように、通常の住宅用サッシは、上枠１１，下枠１２，縦枠１３，１４からなる矩形状のサッシ枠１０内に、２枚の障子２１，２２が引き違いに嵌合されている。これにより、２枚の障子２１，２２はスライドして開閉自在で、閉鎖時には両障子２１，２２の召合せ框２１Ａ，２２Ａ間に設けられたロック部材１００を施錠することによって両障子２１，２２は互いに引き寄せられる。
【０００３】
このような障子２１，２２とサッシ枠１０との間には、施錠時及び無施錠時に両障子２１，２２を閉鎖したときに両者間の隙間を塞いで室外側から室内側に進入する音を効果的に低減するための各種シール材が設けられている。
障子２１，２２の上框２１Ｂ，２２Ｂには、例えば、図１０に示すような、シール材３１，３２が室外側と室内側にそれぞれ設けられ、障子２１，２２の戸先框２１Ｃ，２２Ｃには、図１１に示すような、シール材３３が室外側に設けられている。なお、図１０は図９のＡ−Ａ線拡大断面を示し、図１１は図９のＢ−Ｂ線拡大断面を示している。
シール材３１，３２は、上框２１Ｂ，２２Ｂに沿って左右（図９において左右）に連続して延び、シール材３３は、戸先框２１Ｃ，２２Ｃに沿って上下（図９において上下）に連続して延びているが、上框２１Ｂと戸先框２１Ｃのコーナー部及び上框２２Ｂと戸先框２２Ｃのコーナー部においてシール材３１，３２とシール材３３は繋がっていない。
室外側のシール部３１は、上框２１Ｂ，２２Ｂに形成された凹溝２１ＢＭ内の室外側上部に設けられた嵌合部２１ＢＫに嵌め込まれる取付部３１ａと、その取付部３１ａに一体成形されたリップ状のシール部３１ｂからなり、シール部３１ｂの先端部がサッシ枠１０の上枠１１に突設されたフランジＦ１の室外側側面に接触している。また、室内側のシール部３２は、全体がリップ状であり、上框２１Ｂ，２２Ｂに形成された凹溝２１ＢＭ内の室内側上部にその付け根部が接着され、先端部がサッシ枠１０の上枠１１に突設されたフランジＦ１の室内側側面に接触している。
【０００４】
一方、シール材３３は、戸先框２１Ｃ，２２Ｃに形成された凹溝２１ＣＭ内の室外側端部に設けられた嵌合部２１ＣＫに嵌め込まれる取付部３３ａと、その取付部３３ａに一体成形された３本のリップ状のシール部３３ｂからなり、障子２１の閉鎖時に、シール部３３ｂの先端部がサッシ枠１０の縦枠１３に突設されたフランジＦ２の室外側側面に接触している。
また、図１２に示すように、戸先框２１Ｃ，２２Ｃの上下２ケ所には、障子２１，２２の閉鎖時に、サッシ枠１０の縦枠１３，１４に突設されたフランジＦ２の先端に当接する位置決め部材３４が設けられている。なお、図１２は図９のＣ−Ｃ線拡大断面を示している。
【０００５】
障子とサッシ枠間の隙間をシール材で塞いで遮音性を高めたサッシ構造は種々知られている（例えば、特許文献１，２等）。
【先行技術文献】
【特許文献】
【０００６】
【特許文献１】特開２０００−１９９３８６号公報
【特許文献２】特開平１０−２３１６６８号公報
【発明の概要】
【発明が解決しようとする課題】
【０００７】
しかしながら、従来例として示した住宅用サッシには形状の異なる３種類のシール材３１，３２，３３が使用されているので部品点数が多く、組み付けに工数がかかるとともにコスト高になるといった問題がある。
また、フランジＦ１，Ｆ２に弾接するシール材３１，３２，３３のリップ部は肉厚が薄いので反力が弱くなりがちで障子２１，２２の安定性が懸念されるとともに、フランジＦ１，Ｆ２に対する弾接量が少ないと障子２１，２２のバラツキなどに対応することができず遮音効果が低下するといった恐れもある。
さらには、障子２１，２２の上框２１Ｂと戸先框２１Ｃのコーナー部及び上框２２Ｂと戸先框２２Ｃのコーナー部においては、シール材３１，３２とシール材３３は繋がっていないので、特にコーナー部では室外側から室内側に音が進入してしまう。
【０００８】
また、特許文献１に記載のシール材は、障子２１，２２の下框２１Ｄ，２２Ｄに相当する部位に取付けられ、防音機能と防水機能に優れるものであるので、障子２１，２２の上框２１Ｂ，２２Ｂ及び戸先框２１Ｃ，２２Ｃからは音が進入してしまう。
さらに、特許文献２に記載のシール材は、障子２１，２２の上框２１Ｂ，２２Ｂ及び戸先框２１Ｃ，２２Ｃに相当する部位に合成ゴムからなるスポンジ材を挟むものであるので、遮音性をより高めようとすると障子２１，２２の開閉性が悪くなったり、スポンジ材が破れるなど損傷してかえって遮音性を低下させるといった恐れがある。
【０００９】
そこで、本発明の目的とするところは、部品点数が少なくて組み付けが容易でしかも遮音性に優れる住宅用サッシのシール材を提供することにある。
【課題を解決するための手段】
【００１０】
上記の目的を達成するために、請求項１に係る発明は、サッシ枠（１０）内にスライドして開閉自在に嵌合された障子（２１，２２）と、前記サッシ枠（１０）との隙間を塞ぐシール材（５０）であって、
前記障子（２１，２２）の上框（２１Ｂ，２２Ｂ）又は戸先框（２１Ｃ，２２Ｃ）、あるいは上框（２１Ｂ，２２Ｂ）及び戸先框（２１Ｃ，２２Ｃ）に沿って取付けられる両側壁部（５１ａ，５１ｂ）と底壁部（５１ｃ）からなる断面略コ字状の取付基部（５１）と、前記取付基部（５１）の両端部から底壁部（５１ｃ）に向かって内方に延び、前記断面略コ字状の開口部に案内された前記サッシ枠（１０）に突設されたフランジ（Ｆ１，Ｆ２）を挟みそのフランジ（Ｆ１，Ｆ２）の側面に弾接する室外側リップ部（５２）及び室内側リップ部（５３）を備え、前記取付基部（５１）が取付けられる框は、少なくとも戸先框（２１Ｃ，２２Ｃ）であり、前記取付基部（５１）は、前記障子（２１，２２）の閉時に前記断面略コ字状の開口部に案内される前記サッシ枠（１０）に突設されたフランジ（Ｆ２）の先端に当接する部位を有し、その当接する部位に緩衝用のスポンジ材（Ｓ）を設け、前記スポンジ材（Ｓ）は、前記障子（２１，２２）の閉時に前記フランジ（Ｆ２）の先端に直接に当接し撓むことにより前記フランジ（Ｆ２）の先端を周囲から覆い隠すことを特徴とする。
【００１１】
また、請求項２に記載の発明は、サッシ枠（１０）内にスライドして開閉自在に嵌合された障子（２１，２２）と、前記サッシ枠（１０）との隙間を塞ぐシール材（５０）であって、
前記障子（２１，２２）の上框（２１Ｂ，２２Ｂ）又は戸先框（２１Ｃ，２２Ｃ）、あるいは上框（２１Ｂ，２２Ｂ）及び戸先框（２１Ｃ，２２Ｃ）に沿って取付けられる両側壁部（５１ａ，５１ｂ）と底壁部（５１ｃ）からなる断面略コ字状の取付基部（５１）と、前記取付基部（５１）の両端部から底壁部（５１ｃ）に向かって内方に延び、前記断面略コ字状の開口部に案内された前記サッシ枠（１０）に突設されたフランジ（Ｆ１，Ｆ２）を挟みそのフランジ（Ｆ１，Ｆ２）の側面に弾接する室外側リップ部（５２）及び室内側リップ部（５３）を備え、前記取付基部（５１）が取付けられる框は、少なくとも戸先框（２１Ｃ，２２Ｃ）であり、前記取付基部（５１）は、前記障子（２１，２２）の閉時に前記断面略コ字状の開口部に案内される前記サッシ枠（１０）に突設されたフランジ（Ｆ２）の先端に当接する部位を前記取付基部（５１）の側壁部（５１ａ，５１ｂ）又は底壁部（５１ｃ）から突設し、その突設した部位（５１ｄ）と前記取付基部（５１）の底壁部（５１ｃ）との間に、緩衝用のスポンジ材（Ｓ）を設けたことを特徴とする。
【００１２】
さらに、請求項３に記載の発明は、サッシ枠（１０）内にスライドして開閉自在に嵌合された障子（２１，２２）と、前記サッシ枠（１０）との隙間を塞ぐシール材（５０）であって、
前記障子（２１，２２）の上框（２１Ｂ，２２Ｂ）又は戸先框（２１Ｃ，２２Ｃ）、あるいは上框（２１Ｂ，２２Ｂ）及び戸先框（２１Ｃ，２２Ｃ）に沿って取付けられる両側壁部（５１ａ，５１ｂ）と底壁部（５１ｃ）からなる断面略コ字状の取付基部（５１）と、前記取付基部（５１）の両端部から底壁部（５１ｃ）に向かって内方に延び、前記断面略コ字状の開口部に案内された前記サッシ枠（１０）に突設されたフランジ（Ｆ１，Ｆ２）を挟みそのフランジ（Ｆ１，Ｆ２）の側面に弾接する室外側リップ部（５２）及び室内側リップ部（５３）を備え、前記取付基部（５１）が取付けられる框は、少なくとも戸先框（２１Ｃ，２２Ｃ）であり、前記取付基部（５１）は、前記障子（２１，２２）の閉時に前記断面略コ字状の開口部に案内される前記サッシ枠（１０）に突設されたフランジ（Ｆ２）の先端に当接する部位である前記取付基部（５１）の底壁部（５１ｃ）を部分的に内方に突出させて凸部（５１ｅ）とするともに、外方側に形成される凹部（５１ｆ）に、緩衝用のスポンジ材（Ｓ）を設けたことを特徴とする。
【００１６】
なお、括弧内の記号は、図面および後述する発明を実施するための形態に記載された対応要素または対応事項を示す。
【発明の効果】
【００１７】
本発明によれば、シール材は、障子の上框又は戸先框のいずれか、あるいは上框及び戸先框の両方に沿って取付けられる両側壁部と底壁部からなる断面略コ字状の取付基部と、その取付基部の両端部から底壁部に向かって内方に延び、前記断面略コ字状の開口部に案内された前記サッシ枠に突設されたフランジを挟みそのフランジの側面に弾接する室外側リップ部及び室内側リップ部とからなる一部品であるので、従来のものと比較して部品点数が抑えられる。
これにより、障子に対するシール材の組み付けが容易になるとともにコストの削減を図れる。
特に、戸先框にシール材を取付けた場合に、障子の閉鎖時にフランジの先端を取付基部の底壁部に底突きさせ、底壁部をストッパーとして機能させるようにすれば、位置決め部材も不要になるので、一層、シール材の組み付けが容易になるとともにコストの削減となる。
【００１８】
また、シール材の取付基部は断面略コ字状であるので、障子の上框や戸先框に断面略矩形状の凹溝を設けてその凹溝にシール材の取付基部を嵌め込む構成にすれば、シール材を障子に安定して取付けることができる。
さらに、シール材は、取付基部の両端部から底壁部に向かって延設された室外側リップ及び室内側リップでフランジを挟んで弾接するものであるので、障子自体も安定化するとともに、十分な弾接量を確保できるので障子の形状バラツキや障子とフランジ間の位置バラツキなどにも対応することができ、安定した遮音効果が得られ、その上、断熱性にも優れる。
【００２０】
さらに、本発明によれば、戸先框に取付けられたシール材の取付基部は、障子の閉時にサッシ枠に突設されたフランジの先端に当接する部位を有し、その当接する部位、例えば、フランジの先端と直接に当接する部位に、あるいは、取付基部の側壁部や底壁部から、フランジの先端に当接する部位を突設し、その突設した部位と取付基部の底壁部との間に、あるいは、取付基部の底壁部を部分的に内方に突出させて、フランジの先端に当接する部位（凸部）とするともに、前記内方側とは逆側となる外方側に形成される凹部に、緩衝用のスポンジ材を設けたので、障子を閉めるときの位置決めをするストッパーとしての機能を果たし、フランジの先端が底突きするとき発生する音を効果的に抑制する。
【００２１】
また、サッシ枠から延びるフランジは、その側面が、室外側リップ部及び室内側リップ部でシールされるとともにその先端もスポンジ材でシールされる構成であり、計３点が面によってシールされるので、遮音性は向上し断熱性にも優れる。このとき、シール材の室外側リップ部及び室内側リップをソリッド材で形成すれば、障子の開閉性を特に悪くすることなく、スポンジ材と相俟ってシール性を高めることができる。無論シール材全体が微発泡を含む発泡体であってもよい。
なおスポンジ材は、戸先框において部分的、例えば、上下２ケ所にするだけで障子を閉めるときのストッパーになるが、シール材の取付基部と同様に戸先框に沿って上下に連続的に設けるようにすれば遮音性はさらに向上し断熱効果も向上する。
【００２２】
特に、請求項５及び請求項６に係る発明によれば、フランジの先端が直接的にスポンジ材に当接しないため、スポンジ材は破れ難い。
【図面の簡単な説明】
【００２３】
【図１】本発明の実施形態に係る住宅用サッシのシール材を示す、図９のＡ−Ａ線拡大断面図である。
【図２】本発明の実施形態に係る住宅用サッシのシール材を示す、図９のＢ−Ｂ線拡大断面図である。
【図３】本発明の実施形態に係る住宅用サッシのシール材を示す、図９のＣ−Ｃ線拡大断面図であり、（ａ）は障子が完全に閉じられる直前の状態、（ｂ）は障子が完全に閉じられた状態をそれぞれ示す。
【図４】本発明の実施形態に係る住宅用サッシのシール材の取付位置を示す側面図である。
【図５】本発明の実施形態に係る住宅用サッシのシール材を示す外観斜視図である（便宜上、サッシ枠のフランジＦ１，Ｆ２を一点鎖線で示す）。
【図６】本発明の実施形態に係る住宅用サッシのシール材の製造方法を示す側面図である。
【図７】本発明の別の実施形態に係る住宅用サッシのシール材を示す、図９のＣ−Ｃ線拡大断面図である。
【図８】本発明のさらに別の実施形態に係る住宅用サッシのシール材を示す、図９のＣ−Ｃ線拡大断面図である。
【図９】住宅用サッシの外観側面図である。
【図１０】従来例に係る住宅用サッシのシール材を示す、図９のＡ−Ａ線拡大断面図である。
【図１１】従来例に係る住宅用サッシのシール材を示す、図９のＢ−Ｂ線拡大断面図である。
【図１２】従来例に係る住宅用サッシのシール材を示す、図９のＣ−Ｃ線拡大断面図である。
【発明を実施するための形態】
【００２４】
図１乃至図６及び図９を参照して、本発明の実施形態に係る住宅用サッシのシール材について説明する。本発明の実施形態に係る住宅用サッシのシール材５０は、図９に示したものと同様のサッシ枠１０に嵌め込まれた障子２１，２２側に取付けられている。図１，図２，及び図３は、それぞれ本発明の実施形態に係る住宅用サッシのシール材５０を示す、図９のＡ−Ａ線拡大断面，Ｂ−Ｂ線拡大断面，及びＣ−Ｃ線拡大断面を示している。従来例で示したものと同一部分には同一符号を付した。
【００２５】
本発明の実施形態に係る住宅用サッシのシール材５０は、サッシ枠１０内にスライドして開閉自在に嵌合された障子２１，２２に取付けられ、サッシ枠１０との隙間を塞ぐものであり、取付基部５１とその取付基部５１に一体成形された室外側リップ部５２及び室内側リップ部５３を備えている。
【００２６】
シール材５０の取付基部５１は、室外側側壁部５１ａと室内側側壁部５１ｂの両側壁部５１ａ，５１ｂと底壁部５１ｃからなる断面略コ字状で、障子２１，２２の上框２１Ｂ，２２Ｂに形成された断面略矩形状の凹溝２１ＢＭ，２２ＢＭ（図１では凹溝２１ＢＭを示し、凹溝２２ＢＭについては図面を省略している）及び戸先框２１Ｃ，２２Ｃに形成された断面略矩形状の凹溝２１ＣＭ，２２ＣＭ（図２では凹溝２１ＣＭを示し、凹溝２２ＣＭについては図面を省略している）に嵌め込まれ、上框２１Ｂ，２２Ｂの延びる左右方向（図９の左右方向）及び戸先框２１Ｃ，２２Ｃの延びる上下方向（図９の上下方向）沿って取付けられている。
【００２７】
またシール材５０の室外側リップ部５２は、取付基部５１の室外側側壁部５１ａの端部から底壁部５１ｃに向かって内方、ここでは室内側に延びる断面略舌状で、上框２１Ｂ，２２Ｂ側では、その室外側リップ部５２の室内側の表面が、図１に示すように、サッシ枠１０の上枠１１から下方に延び前記取付基部５１の断面略コ字状の開口部に案内されたフランジＦ１の室外側側面に弾接している。また、戸先框２１Ｃ，２２Ｃでは、その室外側リップ部５２の室内側の表面が、図２に示すように、障子２１，２２の閉時に、サッシ枠１０の縦枠１３から左方，縦枠１４から右方に延び前記取付基部５１の断面略コ字状の開口部に案内されるフランジＦ２の室外側側面に弾接するようになっている。
一方、シール材５０の室内側リップ部５３は、取付基部５１の室内側側壁部５１ｂの端部から底壁部５１ｃに向かって内方、ここでは室外側に延びる断面略舌状で、上框２１Ｂ，２２Ｂ側では、その室内側リップ部５３の室外側の表面が、図１に示すように、サッシ枠１０の上枠１１から下方に延び前記取付基部５１の断面略コ字状の開口部に案内されたフランジＦ１の室内側側面に弾接している。また、戸先框２１Ｃ，２２Ｃでは、その室内側リップ部５３の室外側の表面が、図２に示すように、障子２１，２２の閉時に、サッシ枠１０の縦枠１３から左方，縦枠１４から右方に延び前記取付基部５１の断面略コ字状の開口部に案内されるフランジＦ２の室内側側面に弾接するようになっている。
【００２８】
また、シール材５０は、図４及び図５で示すように、障子２１の上框２１Ｂと戸先框２１Ｃのコーナー部，及び障子２２の上框２２Ｂと戸先框２２Ｃのコーナー部では連続していて、全体形状では略Ｌ字状である。本発明の実施形態に係る住宅用サッシでは障子２１，２２の数に対応して２つの略Ｌ字状のシール材５０が取付けられる。
すなわち、上框２１Ｂ，２２Ｂに取付けられた取付基部５１の側端部と戸先框２１Ｃ，２２Ｃに取付けられた取付基部５１の上端部は接続されるとともに、上框２１Ｂ，２２Ｂ及び戸先框２１Ｃ，２２Ｃにおいて、取付基部５１に延設された室外側リップ部５２の端部同士及び室内側リップ部５３の端部同士も接続されている。
それらコーナー部における接続は、図６（ａ）に示すような、金型を使用した型成形接続による方法や、図６（ｂ）に示すような、押出成形された２本のシール材の端部同士を接着剤などを使用して接続する方法によって行われる。
なお、サッシ枠１０の上枠１１から延びるフランジＦ１と縦枠１３から延びるフランジＦ２もコーナー部では接続され、略Ｌ字状に連続的に延びることが好ましい。
【００２９】
また、図３及び図９に示すように、戸先框２１Ｃ，２２Ｃの上下２ケ所には、障子２１，２２の閉鎖時に、サッシ枠１０の縦枠１３，１４に突設されたフランジＦ２の先端に当接する緩衝用のスポンジ材Ｓが独立して部分的に設けられている。
スポンジ材Ｓは、取付基部５１の底壁部５１ｃの内面側（取付基部５１の開口部に案内されるフランジＦ２側）に設けられ、図３（ａ）から図３（ｂ）に示すように、障子２１，２２の閉時に対向するフランジＦ２の先端に直接に当接し撓むことによりフランジＦ２の先端を周囲から覆い隠すようになっている。そして、スポンジＳは、フランジＦ２の先端が底突きすることによって障子２１，２２の位置決めを行うストッパーとしても機能する。スポンジ材Ｓは、ゴム様弾性体で、ＥＰＤＭゴムや熱可塑性エラストマーからなり、比重は０．０５〜１．１である。また、シール材５０と別体で貼り付けされても、シール材５０と同時に一体成形されていてもよい。
【００３０】
なお、シール材５０を構成する取付基部５１，室外側リップ部５２及び室内側リップ部５３の材質は、特に限定されるわけではないが、ゴム様弾性体であってＥＰＤＭゴムなどのソリッドゴム材や熱可塑性エラストマーなどのソリッド樹脂材からなり、障子２１，２２に組み付けたときの安定性を図るとともに、フランジＦ１，Ｆ２に弾接したときの障子２１，２２の開閉性を良好なものにしている。また、シール材５０の軽量化のためにソリッド材ではなくスポンジ材（微発泡のものも含む）であってもよい。
さらに、室外側リップ部５２及び室内側リップ部５３のフランジＦ１，Ｆ２に弾接する部位に水性シリコーンなどの摺動材を塗布したり、摺動材を貼着したり共押出しして障子２１，２２の開閉性をさらに良好にすることもできる。
【００３１】
以上のように構成された本実施形態に係る住宅用サッシのシール材５０は、障子２１，２２の上框２１Ｂ，２２Ｂ及び戸先框２１Ｃ，２２Ｃの両方に沿って取付けられる両側壁部５１ａ，５１ｂと底壁部５１ｃからなる断面略コ字状の取付基部５１と、その取付基部５１の両端部から底壁部５１ｃに向かって延び、断面略コ字状の開口部に案内されたサッシ枠１０に突設されたフランジＦ１，Ｆ２を挟みそのフランジＦ１，Ｆ２の側面に弾接する室外側リップ部５２及び室内側リップ部５３とからなる一部品であるので、障子２１，２２に対するシール材５０の組み付けが容易になるとともにコストの削減を図れる。
【００３２】
また、シール材５０の取付基部５１の形状は断面略コ字状であり、障子２１，２２の上框２１Ｂ，２２Ｂ及び戸先框２１Ｃ，２２Ｃに設けられた断面略矩形状の凹溝２１ＢＭ，２２ＢＭ，２１ＣＭ，２２ＣＭに対して嵌め込まれるようにして取付けられるので、シール材５０を障子２１，２２に安定して取付けることができる。
さらに、シール材５０は、取付基部５１の両端部から底壁部５１ｃに向かって延設された室外側リップ５２及び室内側リップ５３でフランジＦ１，Ｆ２を挟んで弾接するものであるので、障子２１，２２自体も安定化するとともに、十分な弾接量を確保できるので障子２１，２２の形状バラツキや障子２１，２２とフランジＦ１，Ｆ２間の位置バラツキなどにも対応することができ、安定した遮音効果が得られ、その上、断熱性にも優れる。
【００３３】
また、シール材５０は、その全体形状を略Ｌ字状にして上框２１Ｂ，２２Ｂ及び戸先框２１Ｃ，２２Ｃに一体的に取付けられるので、組み付けはさらに容易になるとともに、上框２１Ｂ，２２Ｂと戸先框２１Ｃ，２２Ｃのコーナー部でもシール材５０は連続しているので室外側から室内側に音が進入することをコーナー部においても確実に抑制することができ、断熱性にも優れる。
【００３４】
さらに、戸先框２１Ｃ，２２Ｃに取付けられたシール材５０の取付基部５１には、障子２１，２２の閉時にサッシ枠１０に突設されたフランジＦ２の先端に直接当接する緩衝用のスポンジ材Ｓが設けられているので、障子２１，２２を閉めるときの位置決め用のストッパーとして機能するとともに、フランジＦ２の先端が底突きするとき発生する音を効果的に抑制する。
また、障子２１，２２の閉鎖時には、サッシ枠１０から延びるフランジＦ１，Ｆ２は、その側面が、室外側リップ部５２及び室内側リップ部５３でシールされるとともに縦枠１３，１４においてはフランジＦ２の先端もスポンジ材Ｓでシールされる構成であり、計３点が面によってシールされるので、遮音性は向上し断熱性にも優れる。特に室外側リップ部５２及び室内側リップ５３はソリッド材で形成されているので、障子２１，２２の開閉性を特に悪くすることなく、スポンジ材Ｓと相俟ってシール性を高めることができる。
【００３５】
なお、本発明の実施形態では、シール材５０を障子２１，２２の上框２１Ｂ，２２Ｂ及び戸先框２１Ｃ，２２Ｃの両方に沿って取付けるようにしたが、障子２１，２２の上框２１Ｂ，２２Ｂのみ、あるいは、障子２１，２２の戸先框２１Ｃ，２２Ｃのみに取付ける構成にすることも可能である。
また、フランジＦ２の先端に当接するスポンジ材Ｓをシール材５０の取付基部５１に設けるようにしたが、スポンジ材Ｓを特に設けることなく、障子２１，２２の閉鎖時にフランジＦ１，Ｆ２の先端を取付基部５１の底壁部５１ｃに直接底突きさせ、底壁部５１ｃをストッパーとして機能させることも可能である。これによれば、スポンジ材Ｓなどの位置決め部材を別に用意する必要がないので、部品点数がさらに減り、一層、シール材５０の組み付けが容易になるとともにコストの削減となる。
【００３６】
また、本発明の実施形態では、スポンジ材Ｓを、戸先框２１Ｃ，２２Ｃにおいて上下２ケ所に設けたが、シール材５０の取付基部５１と同様に戸先框２１Ｃ，２２Ｃに沿って上下に連続的に設けることもでき、これによれば遮音性はさらに向上し、断熱効果も向上する。
【００３７】
さらに、図７及び図８に示すように、戸先框２１Ｃ，２２Ｃに取付けられるシール材５０の断面形状を変えて、スポンジ材Ｓの位置を、フランジＦ２の先端が直接的にスポンジ材Ｓに当接しないようにすることもできる。
すなわち、図７（ａ）に示すものは、シール材５０の取付基部５１の室外側側壁部５１ａから、フランジＦ２の先端に当接する部位５１ｄを突設し、その突設した部位５１ｄと取付基部５１の底壁部５１ｃとの間に、スポンジ材Ｓを設けたものである。突設した部位５１ｄにフランジＦ２の先端が当接すると突設した部位５１ｄはスポンジ材Ｓを圧縮させるのでスポンジ材Ｓは緩衝機能を果たす。先端に当接する部位５１ｄは、室内側側壁部５１ｂから突設されるものであってもよく、図７（ｂ）に示すように、シール材５０の取付基部５１の底壁部５１ｃから、フランジＦ２の先端に当接する部位５１ｄが突設されるものであってもよい。底壁部５１ｃから突設されるものは、底壁部５１ｃからフランジＦ２側に略平行（或いは略平行でなくてもよい）に延び室内側側壁部５１ｂ側（図７（ｂ））あるいは室外側側壁部５１ａ側に略垂直（或いは略垂直でなくてもよい）に折れ曲がった断面略鉤状である。また、図７（ｂ）のように直角状に折れ曲がるだけでなく、円弧を描きながら折れ曲がっていてもよい。さらに、底壁部５１ｃから突設する場合は、断面略鉤状に限定されず、底壁部５１ｃから室内側側壁部５１ｂあるいは室外側側壁部５１ａ側で、且つフランジＦ２側に傾斜したヒレ状であってもよい。
また、図８に示すものは、シール材５０の取付基部５１の底壁部５１ｃを部分的に、ここでは略中央部分を内方に突出させて、フランジＦ２の先端に当接する部位である凸部５１ｅとするともに、外方側に形成される凹部５１ｆに、スポンジ材Ｓを設けたものである。内方に突出させた凸部５１ｅにフランジＦ２の先端が当接するとその凸部５１ｅはスポンジ材Ｓを圧縮させるのでスポンジ材Ｓは緩衝機能を果たす。
これによれば、スポンジ材ＳはフランジＦ２の先端に直接に当接しないので、スポンジ材Ｓは破れ難く、長期的に使用することができる。
また、スポンジ材Ｓは、図３，図７，図８のように中実状であってもよく、空間を有する中空状であってもよい。
【符号の説明】
【００３８】
１０      サッシ枠
１１      上枠
１２      下枠
１３，１４        縦枠
２１，２２        障子
２１Ａ，２２Ａ    召合せ框
２１Ｂ，２２Ｂ    上框
２１ＢＫ  嵌合部
２１ＢＭ  凹溝
２１Ｃ，２２Ｃ    戸先框
２１ＣＫ  嵌合部
２１ＣＭ  凹溝
２１Ｄ，２２Ｄ    下框
３１      シール材
３１ａ    取付部
３１ｂ    シール部
３２      シール材
３３      シール材
３３ａ    取付部
３３ｂ    シール部
５０      シール材
５１      取付基部
５１ａ    室外側側壁部
５１ｂ    室内側側壁部
５１ｃ    底壁部
５１ｄ    突設した部位
５１ｅ    凸部
５１ｆ    凹部
５２      室外側リップ部
５３      室内側リップ部
１００      ロック部材
Ｆ１，Ｆ２      フランジ
Ｓ      スポンジ材
【図１】
0005608013.tif 000002
【図２】
0005608013.tif 000003
【図３】
0005608013.tif 000004
【図４】
0005608013.tif 000005
【図５】
0005608013.tif 000006
【図６】
0005608013.tif 000007
【図７】
0005608013.tif 000008
【図８】
0005608013.tif 000009
【図９】
0005608013.tif 000010
【図１０】
0005608013.tif 000011
【図１１】
0005608013.tif 000012
【図１２】
0005608013.tif 000013